(57)【要約】【課題】一般工具が使えない車体底部の狭小部で、作業者の負担を軽減しグロメットをシフトアームに取付ける作業を、迅速且つ正確に実施できるグロメット取付け工具を提供することを目的とする。【解決手段】外周壁の形状が両端面から筒の中心軸に向ってテーパ形状であり、かつ、前記外周壁に所定の幅及び深さを有する溝部３ａを具備する筒形状のグロメット３を、厚みの有る平板４の円形穴４ａに装着するためのグロメット取付け工具である。該グロメット取付工具は、前記グロメット３を保持し、かつ、底面部に雌ネジ部１ｃを有する筒状キャップ１ａと、所定の長さを有する柄部１ｄとからなるグロメット保持具１である。また、前記グロメットを挿入するための筒状キャップ２ａと、内側中心に前記雌ネジ１ｃとネジ結合する雄ネジ部２ｃを有するグロメット挿入具２から構成されることを特徴とするグロメット取付け工具。【選択図】図１
2010046782.tif 000002
【特許請求の範囲】
【請求項１】
筒形状のグロメットであって、その外周壁の形状が両端面から筒の中心軸の中央に向ってテーパ形状であり、かつ、前記中心軸の長手方向中央の外周壁に所定の幅及び深さを有する溝部を具備するグロメットを、
所定の厚みを有する平板の円形穴に前記溝部を介して装着するためのグロメット取付け工具であって、
前記グロメットの両端面の外周径と同一寸法の内径を有し、かつ、底面部の中央に雌ネジ部を有する筒状キャップと、前記キャップに連結された所定長さを有する柄部とからなるグロメット保持具と、
前記グロメットのテーパ形状の外周径と同一寸法の内径を有する筒状キャップと、その底面部の内側中心に前記グロメット保持具の前記雌ネジ部とネジ結合する雄ネジ部を有するグロメット挿入具とからなることを特徴とするグロメット取付け工具。
【請求項２】
前記グロメット保持具の前記筒状キャップが、
その内壁に螺旋状の溝を形成されていることを特徴とする請求項１記載のグロメット取付け工具。
【請求項３】
前記グロメット保持具の前記柄部が、クランク状の形状を有し、
所定の長さに作成されたことを特徴とする請求項１記載のグロメット取付け工具。
【請求項４】
前記グロメット保持具の前記雌ネジ部と、
前記グロメット挿入具の前記雄ネジ部との噛合せが、所定の緩さを有することを特徴とする請求項１記載のグロメット取付け工具。
【発明の詳細な説明】
【技術分野】
【０００１】
本発明は、自動車のシフトレバーの操作をミッションユニットに伝達するリンケージを構成するシフトアームの円形穴にグロメットを装着するためのグロメット取付け工具に関する。
【背景技術】
【０００２】
自動車のシフトレバーの操作をミッションユニットに伝達するリンケージには、シフトレバーの動きを伝えるシフトレバーロットの短い直線的な動きをシフトアームを介してミッションユニットへ伝達する方法がある。
【０００３】
図５の車体底部の簡略図に示したリンケージの接合部において、シフトレバーロット５がシフトアーム４に取付けられ、ロットの直線的な動きがアームの回転する動きへと変換されている。両者の動きをスムーズに行わせる手法としてシフトレバーロット５を取付ける際に、図６に示したシフトアーム４の円形穴４ａにブッシングの一種で有るグロメットを設けることが知られている。図７（ａ）に示したのが筒形状のシリコンゴム製のグロメット３の外形図であり、長手方向中央に所定の幅と深さのある溝が形成された上下対象な形をしている。図７（ｂ）はグロメット３のＡ−Ａ断面図で、両端面から中心軸の中央に向かいテーパ形状を有し、筒の内側の中空部３ａにシフトレバーロット５が差し込まれる。
【０００４】
グロメット３は、シフトレバーロット５とシフトアーム４の動きをゴムの弾性を利用して衝撃と振動を吸収し、動きをスムーズに伝達しているが、長期の使用による経年変化でその弾性が失われ硬化してしまう。硬化して弾性機能を失ったグロメット３は、シフトレバーの操作に不具合を生じさせることがあるため定期的な交換が必要となる。例えば、非特許文献１に示したようなシフトレバーより異音が発生した不具合による交換事例がある。
【０００５】
また、通常作業において一般工具を使用した場合に作業効率が低下するのを防止するため、作業に特化した新たな工具を作成し作業の向上を図った事例がある。例えば、特許文献１に示すようなスナップスプリング取付け工具の発明により作業効率の向上を図った例が知られている。
【０００６】
整備工場では、自動車の定期点検の一環としてシフトアーム４に装着されているグロメット３の劣化状況を確認し、必要があればグロメット３の交換を実施している。
【０００７】
グロメット交換作業において、硬化したグロメット３はマイナスドライバーなどで簡単にエラの部分を破壊し取外すことができる。また、グロメットを取付ける場合には、図８に示すような一般的なブッシング取付け工具であるプライヤー式取付け工具６でグロメットを取付ける方法が知られている。プライヤー式取付け工具６の基本的操作を図９（ａ）〜（ｃ）にて説明する。
【０００８】
図９（ａ）では、グロメット３を保持キャップ６ａに右ネジ方向にねじ込んで固定する。グロメットが入ったら一度プライヤーを握り、保持キャップ６ａと挿入キャップ６ｂとで挟んで固定させる、この時斜めに傾いて固定された時は修正する。グロメット３をプライヤーの保持キャップ６ａに固定した後、シフトアーム４の円形穴４ａにグロメット３を合わせる。
【０００９】
図９（ｂ）では、挿入キャップ６ｂでシフトアーム４を固定し、グロメット３を円形穴４ａに合わせた状態でプライヤーの柄部を握り締めてグロメット３を挿入する。
【００１０】
図９（ｃ）では、プライヤーの柄を握り締めて、保持キャップ６ａと挿入キャップ６ｂとでグロメット３を円形穴４ａに挿入して行く。
【００１１】
図９（ｄ）でグロメット３を確実に入れるためプライヤーを握ったままグロメット円周方向に２〜３回振子の動きのように動かす。この操作はグロメット３の外周壁に設けられた溝部３ａの幅と深さが、シフトアーム４の平板の厚みと円形穴４ａの径と同一で有るためグロメット３を正常な形に展開させるための処置である。
【００１２】
図９（ｅ）では、プライヤーを外しグロメット３がシフトアーム４の円形穴４ａに正常な形状で入っていることを確認する。
【００１３】
上述したようにグロメット取付け作業について、プライヤー式取付け工具６では指を開いてプライヤーの柄を握り締めた後、振子のように動かす必要があり、この場合には工具を操作するための空間の広さが必要である。
【００１４】
しかし、図５の車体底部の簡略図に示すようにシフトレバーロット５とシフトアーム４の取付け位置は、車体底部のトランスミッションケース横の狭小部で片手が入るスペースしか無いのが現状である。従って、グロメット交換作業でグロメット３が取付けられている空間は、プライヤー式取付け工具６の柄を広げるだけの空間の広さが無いため、シフトアーム４が実装された状態ではプライヤー式取付け工具６を使用した取付け作業ができない状況である。
【００１５】
そのため実装状態では、作業者は指先にグロメットを乗せてシフトアーム４の円形穴４ａにグロメットのテーパ状の先端部が来るように片手を差し込み、指先に力を込めてグロメット３を押し込む作業となる。この場合は作業工数も一定せず、不自然な姿勢で指先に局部的な力を発生させるため、作業者の腕や指への負担が大きい。
【００１６】
従って作業を確実に実施するためにはシフトアーム４を車体から取外した後、図９で説明したプライヤー式取付け工具６によるグロメット３の取付け工程を経て作業を実施する必要があり、シフトアームの取付け、取外しの工数が発生する。いずれの場合も作業工数が増加し、効率的な作業は望めない。
【非特許文献１】三昇自動車（株）のホームページ「ｈｔｔｐ：／／４０８３．ｂｌｏｇｔｅｎ．ｊｐ／１４７０２５．ｈｔｍｌ」
【特許文献１】特開２００８−０３０１８３号公報
【発明の開示】
【発明が解決しようとする課題】
【００１７】
本願の発明は、作業者が一般的な工具を使用しては作業ができない狭小部において、作業者の負担を軽減してグロメットをシフトアームに取付ける作業を迅速、且つ正確に実施するためのグロメット取付け工具を提供することを目的とする。
【課題を解決するための手段】
【００１８】
本発明は、上述の目的を達成するため、以下（１）〜（４）の構成を備えるものである。
【００１９】
（１）筒形状のグロメットであって、その外周壁の形状が両端面から筒の中心軸の中央に向ってテーパ形状であり、かつ、前記中心軸の長手方向中央の外周壁に所定の幅及び深さを有する溝部を具備するグロメットを、所定の厚みを有する平板の円形穴に前記溝部を介して装着するためのグロメット取付け工具であって、前記グロメットの両端面の外周径と同一寸法の内径を有し、かつ、底面部の中央に雌ネジ部を有する筒状キャップと、前記キャップに連結された所定長さを有する柄部とからなるグロメット保持具と、前記グロメットのテーパ形状の外周径と同一寸法の内径を有する筒状キャップと、その底面部の内側中心に前記グロメット保持具の前記雌ネジ部とネジ結合する雄ネジ部を有するグロメット挿入具とからなることを特徴とするグロメット取付け工具。
【００２０】
（２）前記グロメット保持具の前記筒状キャップが、その内壁に螺旋状の溝を形成されていることを特徴とする前記（１）記載のグロメット取付け工具。
【００２１】
（３）前記グロメット保持具の前記柄部が、クランク状の形状を有し、所定の長さに作成されたことを特徴とする前記（１）記載のグロメット取付け工具。
【００２２】
（４）前記グロメット保持具の前記雌ネジ部と、前記グロメット挿入具の前記雄ネジ部との噛合せが、所定の緩さを有することを特徴とする前記（１）記載のグロメット取付け工具。
【発明の効果】
【００２３】
本発明のグロメット取付け工具を使用することで、グロメットの取付け作業は、作業者に負担をかけることなく迅速、且つ正確に実施可能であり、取付け作業に要する作業工数も削減できるため作業の効率化を図ることが可能である。
【発明を実施するための最良の形態】
【００２４】
以下に、本発明を実施するための最良の形態を、実施例により詳しく説明する。尚、本実施例で示す工具は、本実施例で示したグロメットのみに限定し使用するものではなく、形状は異なるが同一径のブッシング等の取付けにも使用可能な汎用性を有している。
【実施例】
【００２５】
図１（ａ）、（ｂ）、（ｃ）は、本実施例に係るグロメット取付け工具であるレバー式取付け工具を示した図である。工具はグロメットを仮付けし保持するグロメット保持具１と、グロメットを挿入するグロメット挿入具２の２部品から構成されている。
【００２６】
図１（ａ）は所定長さの柄部１ｄとグロメットの外周径と同一寸法の内径を有する筒状キャップである保持キャップ凹部１ａから構成されたキセル形状のグロメット保持具１の外観図である。保持キャップ凹部１ａが連結された保持具先端付近のレバー柄部１ｄがクランク状に成形され、異なる車種によるシフトアーム４の取付け位置の違いにも対応するため自由に曲がり易い弾力のある材質が使用されている。また、レバー柄部１ｄの長さもリフトを使用する時などの作業環境にも対応するため所定の長さを有している。
【００２７】
グロメット保持具１の保持キャップ凹部１ａの内壁には、保持力を高めるため右ネジ方向に螺旋状の溝が切られており、この螺旋溝１ｂによりグロメット３を仮付けした際に保持機能を高めているためグロメットが簡単に外れることが無い。仮付けは手で右ネジ方向にねじ込むことでグロメット３を保持キャップ凹部１ａに簡単に固定できる。
【００２８】
また、保持キャップ凹部１ａの底面部の内側中心には貫通した穴が空けられ、雌ネジ部である雌ネジ１ｃが切られている。
【００２９】
図１（ｂ）はグロメット保持具1の保持キャップ１ａと対を成す筒状キャップである挿入キャップ凹部２ａを有するグロメット挿入具２の外観図である。挿入キャップ凹部２ａはグロメット３のテーパ形状の最大外径と同一寸法の内径を有し、その中心には前記雌ネジ１ｃと同一の径とピッチの雄ネジ部である雄ネジ２ｃが形成されている。雄ネジ２ｃはグロメット３とシフトアーム４を挟み込んで雌ネジ１ｃに取付けるのに十分な所定長さを有している。
【００３０】
また、図１（ｃ）に示すようにグロメット挿入キャップ２の頭部には、例えば１７ｍｍの六角ボルトヘッド２ｂが取付けてあり、六角レンチ等の工具が使用可能となっている。
【００３１】
保持キャップ凹部１ａの底面部の中央に切られた雌ネジ１ｃと、挿入キャップ凹部２ａの中央にある雄ネジ２ｃとネジ結合し、その噛合せは作業環境を考慮し狭い所で片手でも入れ易いように緩めに成形されているため着脱時の労力を軽減する効果がある。
【００３２】
保持キャップ１にグロメットを仮付けする方法は、図２（ａ）で示すようにプライヤー式取付け工具と同様、グロメット３を保持キャップ凹部１ａに右ネジ方向（ＣＷ）に回してねじ込んで固定する。図２（ｂ）で示すグロメットをねじ込んだ状態では、螺旋溝１ｂがグロメット３に噛み込んでいるため、グロメット３が簡単に外れることは無い。
【００３３】
図２（ｃ）は、保持キャップ１と挿入キャップ２との間にグロメット３を挟みこんだ状態を示し、必要な間隙を形成している。
【００３４】
実際の作業現場のグロメット交換作業は、図３（ａ）に示すようにレバー柄部先端に連結した保持キャップ１にグロメット３を仮付けした状態で、右のミッションケース側から差し込みシフトアーム４の円形穴４ａに対し図右側からグロメット３を押し当てて行う。この作業を可能にするためグロメット保持具は、外形をキセル状に成形し、レバー柄部１ｄはクランク状に曲げることができる弾力のある材質を使用し、更に取付け作業に必要な所定長さを有した長尺のレバー柄部で作成されている。
【００３５】
グロメット交換作業では、グロメット３を仮付けした状態で保持具を車体の狭小部に差し込むためグロメットが落ちないための保持力が必要であり、保持キャップ凹部１ａに形成された螺旋溝１ｂがその機能を発揮している。
【００３６】
図３（ｂ）に示すようにグロメット挿入具の挿入キャップ２で、シフトアーム４を間に挟み込むように雄ネジ２ｃを保持キャップ１の中央にある雌ネジ１ｃに手で締め込んで行く。この時の挿入キャップ２の締め込み作業は、スペース的に片手でしか操作できないためネジ部の噛合せが緩めに形成されている理由であり、作業者の負担を軽減している。
【００３７】
片手で最後まで挿入キャップ２を締め込んだ後、必要に応じて六角ボルトヘッド２ｂに１７ｍｍスパナ等を使い更に締付けてグロメット３を確実に装着する。
【００３８】
＜レバー式取付け工具のグロメット取付け工程＞
図４（ａ）〜（ｅ）は、前述したレバー式グロメット取付け工具を使用したグロメット取付け工程を示した図であり、取付け過程のグロメットの状態を示す断面図である。
【００３９】
図４（ａ）では、グロメット３を保持キャップ凹部１ａに右ネジ方向にねじ込み固定した後、シフトアーム４のグルメット円形穴４ａに押し付ける。グロメット挿入具２の雄ネジ２ｃを、シフトアーム４を挟み込むようにグロメット３の中空部３ａに差し込みグロメット保持具１の雌ネジ１ｃにねじ込んでいく。作業性を考慮して雄ネジと雌ネジのネジ山の噛合せは片手で作業し易いように緩めになっている。
【００４０】
図４（ｂ）は、レバー式取付け工具でシフトアーム４とグロメット３を挟んだ状態の断面図である。挿入キャップ２を右ネジ方向（ＣＷ）にねじ込むことで円形穴４ａにグロメット３が挿入されて行く。
【００４１】
図４（ｃ）のねじ込む工程においてグロメット３のテーパ状の先端部にシリコン系グリス等を塗布しておくと摩擦が軽減されシフトアーム４の円形穴４ａに入り易くなり、２〜３Ｎｍ位の締付けで円形穴４ａに装着することができる。
【００４２】
図４（ｄ）は、手で挿入キャップ２を完全に締め込むことでグロメット３の中央の溝部３ｂがシフトアーム４の円形穴４ａに嵌まった状態を示し、必要に応じて１７ｍｍのスパナ等でさらに締付けることで確実にグロメット３を装着させる。
【００４３】
図４（ｅ）ではグロメット取付け工具を取外した後、グロメット３が円形穴４ａに完全に嵌まっているか確認するため指でグロメット３を挟み円周方向に回して、抵抗無く回転すれば完全に嵌まった状態にあると判断する。
【００４４】
以上のように、本実施例では一般的なプライヤー式取付け工具６が使用できない狭小部において、シフトレバーロッド５とシフトアーム４との接合部に装着されているグロメット３の交換作業を、実装状態でも作業を可能にするものである。従来のシフトアーム４を取外してグロメット３の交換を行っていた作業を、レバー式取付け工具を使用することでシフトアーム４が実装状態でも、グロメット３の取付け作業が迅速且つ正確に実施することが可能となった。
【００４５】
その結果、グロメット交換作業において、不要な作業工数を削減し作業の効率化を図り、作業者の負担も軽減することが可能となった。
【００４６】
尚、本実施例で示したグロメット取付け工具は、取付けるブッシングの外径が同一で有れば形状の異なるブッシングにも使用可能であり、上述のグロメットのみに限定し使用するものでは無く汎用性を有している。
【図面の簡単な説明】
【００４７】
【図１】本実施例に係るレバー式グロメット取付け工具の（ａ）保持キャップと、（ｂ）、（ｃ）挿入キャップの形状図
【図２】本実施例に係る保持キャップにグロメットを取付けた装着図
【図３】本実施例に係るレバー式グルメット取付け工具の使用例
【図４】本実施例に係るレバー式グロメット取付け工具の使用工程図
【図５】車体底部の簡略図
【図６】シフトアームの外観図
【図７】グロメットの（ａ）外観図と（ｂ）断面図
【図８】プライヤー式グロメット取付け工具の外観図
【図９】プライヤー式グロメット取付け工具の使用工程図
【符号の説明】
【００４８】
１    保持キャップ（グロメット保持具に対応）
１ａ  保持キャップ凹部（筒状キャップに対応）
１ｂ  螺旋溝
１ｃ  雌ネジ（雌ネジ部に対応）
１ｄ  レバー柄部（柄部に対応）
２    挿入キャップ（グロメット挿入具に対応）
２ａ  挿入キャップ凹部（筒状キャップに対応）
２ｂ  １７ｍｍボルトヘッド
２ｃ  雄ネジ（雄ネジ部に対応）
３    グロメット
４    シフトアーム（平板に対応）
４ａ  円形穴
５    シフトレバーロッド
６    プライヤー式グロメット取付け工具
【図１】
2010046782.tif 000003
【図２】
2010046782.tif 000004
【図３】
2010046782.tif 000005
【図４】
2010046782.tif 000006
【図５】
2010046782.tif 000007
【図６】
2010046782.tif 000008
【図７】
2010046782.tif 000009
【図８】
2010046782.tif 000010
【図９】
2010046782.tif 000011
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
筒形状のグロメットであって、その外周壁の形状が両端面から筒の中心軸の中央に向ってテーパ形状であり、かつ、前記中心軸の長手方向中央の外周壁に所定の幅及び深さを有する溝部を具備するグロメットを、
所定の厚みを有する平板の円形穴に前記溝部を介して装着するためのグロメット取付け工具であって、
前記グロメットの両端面の外周径と同一寸法の内径を有し、かつ、底面部の中央に雌ネジ部を有する筒状キャップと、前記キャップに連結された所定長さを有する柄部とからなるグロメット保持具と、
前記グロメットのテーパ形状の外周径と同一寸法の内径を有する筒状キャップと、その底面部の内側中心に前記グロメット保持具の前記雌ネジ部とネジ結合する雄ネジ部を有し、かつ該雄ネジ部の外径が前記グロメットの貫通穴の径よりも小さいグロメット挿入具とからなることを特徴とするグロメット取付け工具。
【請求項２】
前記グロメット保持具の前記筒状キャップが、
その内壁に螺旋状の溝を形成されていることを特徴とする請求項１記載のグロメット取付け工具。
【請求項３】
前記グロメット保持具の前記柄部が、クランク状の形状を有し、
所定の長さに作成されたことを特徴とする請求項１記載のグロメット取付け工具。
【手続補正２】
【補正対象書類名】明細書
【補正対象項目名】００１８
【補正方法】変更
【補正の内容】
【００１８】
本発明は、上述の目的を達成するため、以下（１）〜（３）の構成を備えるものである。
【手続補正３】
【補正対象書類名】明細書
【補正対象項目名】００１９
【補正方法】変更
【補正の内容】
【００１９】
筒形状のグロメットであって、その外周壁の形状が両端面から筒の中心軸の中央に向ってテーパ形状であり、かつ、前記中心軸の長手方向中央の外周壁に所定の幅及び深さを有する溝部を具備するグロメットを、所定の厚みを有する平板の円形穴に前記溝部を介して装着するためのグロメット取付け工具であって、前記グロメットの両端面の外周径と同一寸法の内径を有し、かつ、底面部の中央に雌ネジ部を有する筒状キャップと、前記キャップに連結された所定長さを有する柄部とからなるグロメット保持具と、前記グロメットのテーパ形状の外周径と同一寸法の内径を有する筒状キャップと、その底面部の内側中心に前記グロメット保持具の前記雌ネジ部とネジ結合する雄ネジ部を有し、かつ該雄ネジ部の外径が前記グロメットの貫通穴の径よりも小さいグロメット挿入具とからなることを特徴とするグロメット取付け工具。
【手続補正４】
【補正対象書類名】明細書
【補正対象項目名】００２２
【補正方法】削除
【補正の内容】